(57)【要約】【課題】きわめて効率よく省電力動作を行うワイヤレスマウスを提供することを目的とする。【解決手段】移動情報を取得するポインティングデバイスと移動情報を送信する送信手段とを備えたマウス部と、移動情報を受信するレシーバ部と、からなるワイヤレスマウスにおいて、前記マウス部に３軸センサと、前記レシーバ部からの信号を受信する受信手段と、前記３軸センサからの情報と前記レシーバ部からの信号とに基づいて前記ポインティングデバイスの電源を制御する制御部と、を備え、前記レシーバ部には、該レシーバ部に電力供給があると前記マウス部に所定の信号を送る送信手段を備えていることを特徴とする。【選択図】図１
2010218403.tif 000002
【特許請求の範囲】
【請求項１】
移動情報を取得するポインティングデバイスと該ポインティングデバイスにより得られた移動情報を送信する送信手段とを備えたマウス部と、
該ポインティングデバイスから送信される移動情報を受信するレシーバ部と、からなるワイヤレスマウスにおいて、
前記マウス部に３軸センサと、
前記レシーバ部からの信号を受信する受信手段と、
前記３軸センサからの情報と前記レシーバ部からの信号とに基づいて前記ポインティングデバイスの電源を制御する制御部と、を備え、
前記レシーバ部には、該レシーバ部に電力供給があると前記マウス部に所定の信号を送る送信手段を備えていることを特徴とするワイヤレスマウス。
【発明の詳細な説明】
【技術分野】
【０００１】
本発明は、ワイヤレスマウスに関し、コンピュータ装置のUSB端子に接続したレシーバに移動情報を無線送信する省電力に優れたワイヤレスマウスに関する。
【背景技術】
【０００２】
コンピュータ装置を操作するためのポインティングデバイスとして、マウスが用いられているが、マウスの移動情報をコンピュータ装置に伝えるために信号伝送コードが用いられると、机上での取り回しが煩雑となるため、近年では、電波等で移動情報をコンピュータ装置に伝送するワイヤレスマウスが普及し始めている。この場合、マウス本体にはマウスの移動情報を送信する送信手段が内蔵され、コンピュータ装置に接続され、マウスの移動情報を受信するレシーバが必要となる。
また、マウス本体は、コンピュータ装置から切り離され、ワイヤレスとなるために、マウスには、移動情報を取得する手段を動作させたり、電波を発信するための電力を供給するための電源が必要となり、電池や充電池が内蔵されるようになった。そのため、電池の交換や充電池の充電等の操作が必要となり、省電力タイプのワイヤレスマウスが希求されている。
【０００３】
例えば、不使用時に不使用時間に応じて段階的に消費電力を低減するように制御されるワイヤレスマウス（特許文献１）や３軸センサを備え、３軸方向の加速度値のうち、少なくとも１軸方向の加速度値が所定閾値以上である場合に、検出部及び無線送信部に所定時間電力を供給するワイヤレスマウス（特許文献２）が提案されている。
【先行技術文献】
【特許文献】
【０００４】
【特許文献１】特開２００５−１０７７０３号公報
【特許文献２】特開２００８−２４２７０５号公報
【発明の概要】
【発明が解決しようとする課題】
【０００５】
しかし、特許文献１のワイヤレスマウスでは、有線でコンピュータ装置と接続されたレシーバを備えているため、このレシーバ上にマウス本体を収納してはじめて、ワイヤレスマウスの電源が切れるようになっており、レシーバにマウス本体を収納しなければ、マウス本体は、電力を消費し続けるという問題があった。
【０００６】
また、特許文献２のワイヤレスマウスでは、３軸方向の加速度値のうち、少なくとも１軸方向の加速度値が所定閾値以上である場合に、検出部及び無線送信部に所定時間電力を供給するようになっているために、所定時間後は、電源がＯＦＦとなるため、再度マウスの使用を始めるためには、電源をＯＮする手段が必要となる等の、操作の煩雑性、電源ボタンの設置などの問題や、加速度値のみを電力供給の条件としているために、コンピュータ装置の電源が入っていない場合やワイヤレスマウスのレシーバがコンピュータ装置に接続されていない場合でも、ワイヤレスマウスが動くとワイヤレスマウスの電源が入るという問題があった。
【０００７】
本発明は、上述の問題を解決し、きわめて効率よく省電力動作を行うワイヤレスマウスを提供することを目的とする。
【課題を解決するための手段】
【０００８】
本発明者らは、ワイヤレスマウスの構成について鋭意検討を重ねた結果、ワイヤレスの構成を下記のようにすることにより、上記目的を達成することができることを見いだし、本発明をなすに至った。
【０００９】
すなわち、移動情報を取得するポインティングデバイスと該ポインティングデバイスにより得られた移動情報を送信する送信手段とを備えたマウス部と、
該ポインティングデバイスから送信される移動情報を受信するレシーバ部と、からなるワイヤレスマウスにおいて、
前記マウス部に３軸センサと、
前記レシーバ部からの信号を受信する受信手段と、
前記３軸センサからの情報と前記レシーバ部からの信号とに基づいて前記ポインティングデバイスの電源を制御する制御部と、を備え、
前記レシーバ部には、該レシーバ部に電力供給があると前記マウス部に所定の信号を送る送信手段を備えていることを特徴とする。
【発明の効果】
【００１０】
ワイヤレスマウスのマウス部に３軸センサと、この３軸センサからの情報に基づいてポインティングデバイスの電源を制御する制御部が備えているので、マウスが使用されていないときにポインティングデバイスの電源を切って省電力設計とすることができ、レシーバ部には、このレシーバ部に電力供給があるとマウス部に所定の信号を送る送信手段を備えているので、コンピュータ装置の電源が切られレシーバ部に電力が供給されなくなると、ポインティングデバイスの電源を切って省電力設計とすることができる。
【図面の簡単な説明】
【００１１】
【図１】本発明の一例のワイヤレスマウスのマウス部とレシーバ部の斜視図である。
【図２】本発明の一例のワイヤレスマウスのマウス部の裏面の平面図である。
【図３】本発明の一例のワイヤレスマウスの内部構成図。
【発明を実施するための形態】
【００１２】
以下に、図面を参照して、本発明のワイヤレスマウスを説明する。
【００１３】
図１に本発明の一例のワイヤレスマウスの外観を示す。本実施態様のワイヤレスマウス１００は、マウス部１０と、レシーバ部２０とから構成される。マウス部１０には、コンピュータ装置を操作するための、左ボタン１７１、右ボタン１７２、ホイール１７３が備えられている。
【００１４】
図２に本発明の一例のワイヤレスマウス部の裏面の平面図を示す。マウス部１０の裏面１８には、板面を照らすＬＥＤ１８２、板面上のマウス部１０の移動情報を読み取るオプティカルセンサ１８１、レシーバ部２０を収納する収納部１８３が備えられている。収納部１８３には、レシーバ部２０の着脱に応じて断続するスイッチ１３が設けられている。
レシーバ部２０には、コンピュータ装置に接続し、マウスからの信号を伝える接続端子２１、受信ユニット２２が含まれている。
【００１５】
図３に本発明のワイヤレスマウスの内部構成を示す。図中各電気パーツを結ぶ実線は信号線、破線は電力線を示す。マウス部１０には、電池、充電池などの電源１２、マウス部の３次元的な動きを察知する３軸センサ１５、後述するレシーバ部２０からの第２送信手段２４からの信号を受信する第１受信手段１６、３軸センサ１５、第１受信手段１６からの信号を受けて、マウス部１０の板面上での移動情報を読み取ったりマウス操作を行うポインティングデバイス１７への電力供給を制御する制御部１４、ポインティングデバイス１７からの信号をレシーバ部２０の第２受信手段２３に送信する第１送信手段１１、電源１２からの電力を断続するスイッチ１３が含まれる。
【００１６】
ポインティングデバイス１７には、左ボタン１７１、右ボタン１７２、ホイール１７３、ＬＥＤ１８２、オプティカルセンサ１８１およびこれらの電気パーツからの信号を処理する不図示の電気回路を含む。
【００１７】
レシーバ部２０には、マウス部１０の第１送信手段１１からの信号を受信する第２受信手段２３、レシーバ部２０がコンピュータ装置３０から電力供給されているという信号をマウス部１０の第１受信手段１６に送信する第２送信手段２４、第２受信手段２３からの信号をコンピュータ装置３０に伝える信号に変換したり、レシーバ部２０がコンピュータ装置３０から電力供給されているという信号を第２送信手段に伝える信号回路２５、レシーバ部２０とコンピュータ装置３０とを電気的に接続する接続端子２１とを含む。
【００１８】
次に本発明のワイヤレスマウス１００の動作について説明する。使用前状態においては、本発明のマウス１００のレシーバ部２０は、マウス部１０の裏面１８の収納部１８３に収納されている。この状態では、収納部１８３に設けられたスイッチ１３は遮断されており、マウス部１０に含まれる各電気パーツには電力が供給されていない。
【００１９】
レシーバ部２０を収納部１８３から取り出すとスイッチ１３は接続されて制御部１４に電力が供給されて制御部１４が動作状態になる。制御部１４から３軸センサ１５、第１受信手段１６に電力が供給されて３軸センサ１５、第１受信手段１６が動作状態になる。レシーバ部２０がコンピュータ装置３０に接続され、コンピュータ装置３０の電源が入れられるか、電源の入っているコンピュータ装置３０にレシーバ部２０が接続されると、コンピュータ装置３０から、レシーバ部２０に電力が供給され、レシーバ部２０の各電気パーツが動作状態になる。信号回路２５から第２送信手段２４に、レシーバ部２０がコンピュータ装置３０から電力供給されているという信号が送られ、第２送信手段２４からこの信号が、マウス部１０の第１受信手段１６に送信される。さらに、この信号は、第１受信手段１６から制御部１４に送られる。制御部１４は、３軸センサからマウスが動かされているという信号（ＯＮ信号）と第１受信手段１６からレシーバ部２０がコンピュータ装置３０から電力供給されているという信号（ＯＮ信号）とを受けると、ポインティングデバイス１７と第１送信手段１１とに所定時間電力を供給して、これらを動作状態に入らせる。
【００２０】
ポインティングデバイス１７は動作状態に入ると、ＬＥＤ１８２は、板面を照らし、オプティカルセンサ１８１からのマウス部１０の板面上の移動情報や左ボタン１７１、右ボタン１７２、ホイール１７３からの操作情報が信号として第１送信手段１１に送られ、第１送信手段１１はこの信号をレシーバ部２０の第２受信手段２３に送信する。第２受信手段２３は、この信号を信号回路２５に送る。信号回路２５は、この信号をコンピュータ装置３０が受け取れる信号に変換して接続端子２１を介してコンピュータ装置３０に送り、コンピュータ装置３０を操作できるようにする。
【００２１】
所定時間以上の間、３軸センサ１５からＯＮ信号がないか、第１受信手段１６からＯＮ信号がないかのいずれかの場合、制御部１４は、ポインティングデバイス１７と第１送信手段１１とに電力を供給するのを遮断する。このため、マウス部１０が使用されていないか、レシーバ部２０がコンピュータ装置と接続されていないか、レシーバ部２０がコンピュータ装置と接続されていても、コンピュータ装置の電源が入っていない場合には、ポインティングデバイスへの電力供給を遮断する。この状態においては、電源１２から、制御部１４にのみ電力が供給されているが、これは非常に微弱なものなので省電力効果は非常に大きい。
【００２２】
また、レシーバ部２０をコンピュータ装置３０から抜き取り、マウス部１０の収納部１８３に収納すると、スイッチ１３が遮断され、マウス部１０の各電気パーツには完全に電力が供給されなくなる。
【符号の説明】
【００２３】
１０    マウス部
１１    第１送信手段
１２    電源
１３    スイッチ
１４    制御部
１５    ３軸センサ
１６    第１受信手段
１７    ポインティングデバイス
１８    マウス裏面
２０    レシーバ部
２１    接続端子
２２    受信ユニット
２３    第２受信手段
２４    第２送信手段
２５    信号回路
３０    コンピュータ装置
１００  ワイヤレスマウス
１７１  左ボタン
１７２  右ボタン
１７３  ホイール
１８１  オプティカルセンサ
１８２  ＬＥＤ
【図１】
2010218403.tif 000003
【図２】
2010218403.tif 000004
【図３】
2010218403.tif 000005